(57)【要約】【課題】コストの増大を抑制すると共に従来よりも明るい投射型画像表示装置を提供する。【解決手段】ＬＥＤ光源から白色光を射出して、射出された白色光を、特定色光を透過すると共に特定色以外の他の色光を反射する透過反射領域５ａ〜５ｅを画素に対応して面状に複数形成したダイクロイックフィルタ５に入射させる。再入射手段は、透過反射領域５ａ〜５ｅで反射した前記他色光をダイクロイックフィルタ５に対して再入射させる。前記透過反射領域５ａ〜５ｅを透過した前記特定色光を変調して画像光として射出する複数の前記画素を面内に備える透過型液晶画像表示素子７を有する。【選択図】図２
2010185929.tif 000002
【特許請求の範囲】
【請求項１】
白色光を射出する射出手段と、
射出された前記白色光のうち特定色光を透過させると共に前記特定色光以外の他色光を反射させる透過反射領域を画素に対応して面状に複数形成した透過反射手段と、
前記透過反射領域で反射した前記他色光を前記透過反射手段に対して再入射させる再入射手段と、
複数の前記画素を面内に備え、前記透過反射領域を透過した前記特定色光を変調して画像光として射出する画像表示手段と、
を有することを特徴とする投射型画像表示装置。
【請求項２】
前記透過反射手段は、
少なくとも３つの異なる波長領域の前記特定色光に応じた誘電体膜部を面上に形成したダイクロイックフィルタであることを特徴とする請求項１に記載の投射型画像表示装置。
【請求項３】
前記複数の透過反射領域のうち一部の透過反射領域は、
ＲＧＢのうち２色以上を透過させることを特徴とする請求項１又は２に記載の投射型画像表示装置。
【請求項４】
前記射出手段はＬＥＤ光源であり、
前記再入射手段は、前記ＬＥＤ光源の内部に実装されていることを特徴とする請求項１乃至３のいずれか１項に記載の投射型画像表示装置。
【請求項５】
前記画像表示手段は、
透過型の液晶画像表示素子であることを特徴とする請求項１乃至４のいずれか１項に記載の投射型画像表示装置。
【請求項６】
前記画像表示手段は反射型の液晶画像表示素子であって、
前記液晶画像表示素子での反射画像を外部に投射する偏光分離素子を更に有することを特徴とする請求項１乃至４のいずれか１項に記載の投射型画像表示装置。
【請求項７】
前記透過反射手段に入射する前記白色光及び再入射する前記他色光を前記透過反射領域の面方向に対して略垂直に入射させるテレセントリックレンズを更に有することを特徴とする請求項１乃至６のいずれか１項に記載の投射型画像表示装置。
【請求項８】
前記透過反射領域を透過した前記特定色光が前記透過反射領域に対応した画素以外の画素に入射することを防止する遮光手段を更に有することを特徴とする請求項１乃至７のいずれか１項に記載の投射型画像表示装置。
【発明の詳細な説明】
【技術分野】
【０００１】
本発明は、スクリーンに対して画像を投射する投射型画像表示装置に関する。
【背景技術】
【０００２】
現在、会社でのプレゼンや映画の上映等を行う際に、映像や画像をスクリーンに投射する投射型画像表示装置（「プロジェクタ」と通称されている）を用いるケースが多い。このような投射型画像表示装置は、図１１に示すように、光源３１から射出される光を空間光変調素子３７で変調し、変調された画像光をスクリーン９に投射して画像を表示するようになっている（特許文献１参照）。特に、光源３１についてはＬＥＤ（Light Emitting Diode）を利用することにより、長寿命かつ低消費電力であって可搬性の高い投射型画像表示装置を実現することが可能となっている。
【０００３】
また、同図に示すように、光源３１からの射出光を空間光変調素子３７の平面に対して均一に照明するために、ミラー等で形成された導光路３３を光源３１と空間光変調素子３７との間に配置することや、導光路３３からの射出光を効率良く確実に照射するために、導光路３３の射出面や空間光変調素子３７の近傍に集光レンズ３５を配置することも一般的となっている。なお、このような導光路３３としては、例えばライトトンネルやライトパイプを使用することにより、小型かつ低コストな投射型画像表示装置を提供することが可能となっている。
【０００４】
ここで、空間光変調素子３７としては、液晶素子やＤＭＤ（Digital Micromirror Device）を用いることが可能である。更に、Ｒ（赤色）Ｇ（緑色）Ｂ（青色）にそれぞれ対応する３つの空間光変調素子３７を用いてそれぞれ変調された複数の画像光を色合成して画像を表示する３板方式や、１つの空間光変調素子３７を用いてＲＧＢの各画像光を高速に時分割で切り替えて表示する単板方式を用いることが可能である。一般に、ＤＭＤよりも液晶素子の方が空間光変調素子３７における１素子当りのコストが低く小型化を容易とするため、液晶素子を採用するケースが多い。しかしながら、液晶素子を用いてＲＧＢの各画像光を高速に時分割で切り替えて表示しようとすると、液晶素子内における液晶材の応答速度が遅いために変調がかかりきらないうちに次フレームの液晶駆動が始まってしまい、変調効率が低下することになる。そのため、従来の投射型画像表示装置では、アレイ状またはストライプ状の有機色素あるいは有機顔料を用いたカラーフィルタを液晶素子近傍に配置し、光源３１からの射出光を画素毎に分離して画像を表示する方法が採用されている。
【先行技術文献】
【特許文献】
【０００５】
【特許文献１】特開２００４−１０２１３２号公報
【特許文献２】特開平４−６０５３８号公報
【特許文献３】特開平８−１１４７８０号公報
【発明の概要】
【発明が解決しようとする課題】
【０００６】
ここで、射出光を画素毎に分離して表示する場合、図１２に示すように、空間光変調素子３７におけるＲ用画素３７ａ、Ｇ用画素３７ｂ、Ｂ用画素３７ｃのそれぞれについて不要な色光をカットする必要がある。すなわち、有機色素あるいは有機顔料を用いたカラーフィルタ３９においてＲ光のみ透過させるＲ光用フィルタ３９ａ、同様なＧ光用フィルタ３９ｂやＢ光用フィルタ３９ｃを用いるため、それぞれの色光用のカラーフィルタでは他の色光は吸収されてしまうと共に、射出光の利用効率がカラーフィルタ３９の全領域の面積に対する各色の透過領域面積の比率まで低下するという問題がある。具体的には、Ｒ光用フィルタ３９ａ、Ｇ光用フィルタ３９ｂ、Ｂ光用フィルタ３９ｃの各領域の各面積が同等である場合には、その利用効率は１／３に減少することになる。
【０００７】
このような問題点を解決するため、例えば図１３に示すように、射出光のうちＲ光のみを反射するＲ光反射ダイクロイックミラー４１ａ、同様なＧ光反射ダイクロイックミラー４１ｂおよびＢ光反射ダイクロイックミラー４１ｃを角度を代えて配置し、各ダイクロイックミラーで反射したＲ光、Ｇ光、Ｂ光が空間光変調素子３７に入射する入射角度を色毎に変え、更に投射レンズ４３によって利用効率を向上させる技術が開示されているが（特許文献２、３参照）、投射レンズ４３に入射する光の主光線角度が色毎に異なるため、１色当りに必要なＦ値よりも低Ｆ値（大口径）の投射レンズ４３を使用する必要があり、投射型画像表示装置が大型化すると共に、コストが増大することになる。
【０００８】
本発明は、上記を鑑みてなされたものであり、コストの増大を抑制すると共に小型で従来よりも明るい投射型画像表示装置を提供することを目的とする。
【課題を解決するための手段】
【０００９】
そこで、本実施の形態では、上記した課題を解決するために、下記する（１）〜（８）の構成を有する投射型画像表示装置を提供する。
【００１０】
（１）  白色光を射出する射出手段１と、
射出された前記白色光のうち特定色光を透過させると共に前記特定色光以外の他色光を反射させる透過反射領域５ａ〜５ｅを画素に対応して面状に複数形成した透過反射手段５と、
前記透過反射領域５ａ〜５ｅで反射した前記他色光を前記透過反射手段５に対して再入射させる再入射手段１０５と、
複数の前記画素を面内に備え、前記透過反射領域５ａ〜５ｅを透過した前記特定色光を変調して画像光として射出する画像表示手段７、１１と、
を有することを特徴とする投射型画像表示装置。
【００１１】
（２）  前記透過反射手段５は、
少なくとも３つの異なる波長領域の前記特定色光に応じた誘電体膜部を面上に形成したダイクロイックフィルタであることを特徴とする（１）に記載の投射型画像表示装置。
【００１２】
（３）  前記複数の透過反射領域５ａ〜５ｅのうち一部の透過反射領域５ｄ、５ｅは、
ＲＧＢのうち２色以上を透過させることを特徴とする（１）又は（２）に記載の投射型画像表示装置。
【００１３】
（４）  前記射出手段はＬＥＤ光源であり、
前記再入射手段１０５は、前記ＬＥＤ光源の内部に実装されていることを特徴とする（１）乃至（３）のいずれか１つに記載の投射型画像表示装置。
【００１４】
（５）  前記画像表示手段７は、
透過型の液晶画像表示素子であることを特徴とする（１）乃至（４）のいずれか１つに記載の投射型画像表示装置。
【００１５】
（６）  前記画像表示手段１１は反射型の液晶画像表示素子であって、
前記液晶画像表示素子での反射画像を外部に投射する偏光分離素子を更に有することを特徴とする（１）乃至（４）のいずれか１つに記載の投射型画像表示装置。
【００１６】
（７）  前記透過反射手段５に入射する前記白色光及び再入射する前記他色光を前記透過反射領域５ａ〜５ｅの面方向に対して略垂直に入射させるテレセントリックレンズを更に有することを特徴とする（１）乃至（６）のいずれか１つに記載の投射型画像表示装置。
【００１７】
（８）  前記透過反射領域５ａ〜５ｅを透過した前記特定色光が前記透過反射領域５ａ〜５ｅに対応した画素以外の画素に入射することを防止する遮光手段１７を更に有することを特徴とする（１）乃至（７）のいずれか１つに記載の投射型画像表示装置。
【発明の効果】
【００１８】
本発明によれば、コストの増大を抑制すると共に小型で従来よりも明るい投射型画像表示装置を提供することができる。
【図面の簡単な説明】
【００１９】
【図１】第１の実施の形態に係る投射型画像表示装置の傾斜図である。
【図２】第１の実施の形態に係る投射型画像表示装置の側面図である。
【図３】ＬＥＤ光源の一構成を示す図である。
【図４】ＬＥＤ光源の断面構造図である。
【図５】ＬＥＤ光源の他の構成を示す図である。
【図６】ダイクロイックフィルタの一構成を示す図である。
【図７】ダイクロイックフィルタの他の構成を示す図である。
【図８】ダイクロイックフィルタの他の構成を示す図である。
【図９】第２の実施の形態に係る投射型画像表示装置の上面図である。
【図１０】ダイクロイックフィルタと透過型液晶画像表示素子との間に遮光層を設けた状態を示す図である。
【図１１】従来の投射型画像表示装置の側面図である。
【図１２】従来の投射型画像表示装置において空間光変調素子の近傍にカラーフィルタを配置した状態を示す図である。
【図１３】従来の投射型画像表示装置において異なる色光を角度を変えて反射させる複数のダイクロイックミラーを配置した状態を示す図である。
【発明を実施するための形態】
【００２０】
以下、２つの実施の形態について図面を用いて説明する。
【００２１】
〔第１の実施の形態〕
第１の実施の形態に係る投射型画像表示装置を斜め方向から見た傾斜図を図１に示し、側面図を図２に示す。本実施の形態に係る投射型画像表示装置は、白色光を射出するＬＥＤ光源１と、射出された射出光の照度を均一にするライトトンネル３と、射出光のうち特定の色光のみを透過させると共に他の色光を反射させるダイクロイックフィルタ５と、複数の画素を用いて画像を表示する透過型液晶画像表示素子７とを備えている。以下、各構成要素の機能について個別具体的に説明すると共に、各構成を備えることによる本発明の作用及び効果について説明する。
【００２２】
ＬＥＤ光源１は、図３に示すように、Ｒ光を発光するＲ光用ＬＥＤ１ａと、Ｇ光を発光するＧ光用ＬＥＤ１ｂと、Ｂ光を発光するＢ光用ＬＥＤ１ｃとを１つの基板上に面状に複数並べた構成を備え、各ＬＥＤから発光したＲ光とＧ光とＢ光との混色により全体として白色光を射出する機能を有している。また、ＬＥＤ光源１は、図４に示すように、光を発光する発光層１０３の両表面に第１の半導体層１０２及び第２の半導体層１０４を積層し、第１の半導体層１０２の表面に発光層１０３で発光した光を外部に透過可能な透明電極１０１を形成すると共に、第２の半導体層１０４の表面にＬＥＤ光源１における内部での光吸収を抑えて光の取出効率を向上させる反射面としての反射電極１０５を形成している。なお、このような反射面を内包するＬＥＤは既に実用化されていることをあえて付言しておく。また、発光源としては白色光を射出可能であればどのような構成でもよいのであって、例えば、図５に示すようにＢ光用ＬＥＤの一部領域に蛍光体を塗布してイエローに励起するイエロー発光部１ｄを設け、残領域のＢ光用ＬＥＤ１ｃからのＢ光とイエロー光とを混色させて白色光を発光させる構成としてもよい。さらに、ＬＥＤを利用するのに代えて、白色光を射出可能なレーザ装置を用いてもよい。
【００２３】
ライトトンネル３は、内壁がミラーからなる多角柱または略多角錐形状である。本実施形態では、図１に示すように、４枚のミラーを長手方向で接合した中空の角錘台構造を備え、小径口側をＬＥＤ光源１に近接することによりＬＥＤ光源１から射出された白色の射出光を内壁面で複数回反射させることで照度分布を大径口側で均一化して射出する機能を有している。なお、ライトトンネル３の射出面（大径口側）での照度分布を均一可能であればどのような構成であってもよく、ライトトンネル３に代えて、入射した光をガラスの全反射を利用して導光させるライトパイプを用いてもよい。
【００２４】
ダイクロイックフィルタ５は、誘電体膜が多層に積み重ねられた構成であり、図６に示すように、モザイク状、ストライプ状等のＲＧＢカラーフィルタパターンとなっており、Ｒ光のみを透過させると共にＧ光及びＢ光を反射させるＲ光用誘電体膜部５ａ、Ｇ光のみを透過させると共にＲ光及びＢ光を反射させるＧ光用誘電体膜部５ｂ、Ｂ光のみを透過させると共にＲ光及びＧ光を反射させるＢ光用誘電体膜部５ｃを、透過型液晶画像表示素子７の画素に応じて面状に複数並べて成膜させた構成を備えている。ここで、各誘電体膜部と各画素とは、１対１に対応している。また、ダイクロイックフィルタ５は、ライトトンネル３から射出された白色の射出光を各誘電体膜部で各誘電体膜部に対応したＲ光、Ｇ光、Ｂ光のうちいずれかの１つの色光のみを透過し、他の色光をライトトンネル３及びＬＥＤ光源１に対して反射させる機能を有している。更に、透過型液晶画像表示素子７を通過した画像光の色温度を考慮してダイクロイックフィルタ５の各誘電体膜部の面積比率を調整（例えば、Ｒ光用誘電体膜部の面積：Ｇ光用誘電体膜部の面積：Ｂ光用誘電体膜部の面積＝１：２：１）したり、図７や図８に示すように、白色光を透過させるＷ光用誘電体膜部５ｄや、Ｒ光及びＧ光を透過させると共にＢ光を反射させるＹ光用誘電体膜部５ｅを混在させることも可能である。
【００２５】
透過型液晶画像表示素子７は、マトリクス状に形成された複数の画素を面内に備え、ダイクロイックフィルタ５を透過した色光を変調し画像光を生成する機能を有している。なお、このような画像表示素子は、通常、透明基板上に複数の走査線及び複数の信号線を交差させて複数の画素をマトリクス状に形成し、信号線に印加された画像信号を各画素に供給することで対向基板との電位差を生じさせ、透明基板と対向基板との間の液晶材の配向を変化させること入射した光を変調可能となっている。
【００２６】
このような構成を備えた投射型画像表示装置におけるＬＥＤ光源１から射出した光の動きの一例としてＲ光用誘電体膜部５ａに入射する光について説明する。投射型画像表示装置は、Ｒ光、Ｇ光、Ｂ光からなる白色の射出光を、射出された射出光の照度分布をライトトンネル３で均一化し、ダイクロイックフィルタ５のＲ光用誘電体膜部５ａにおいて、均一化後に入射された白色の射出光のうちＲ光のみを通過させると共にＧ光及びＢ光を反射光として反射させる。その後、反射した反射光はライトトンネル３を介してＬＥＤ光源１に到達し、ＬＥＤ光源１の反射電極１０５で反射した後に、ライトトンネル３を通ってダイクロイックフィルタ５に再入射する（図２の点線を参照）。このとき、再入射した色光の到達誘電体膜が該色光を透過可能なＧ光用誘電体膜部５ｂ又はＢ光用誘電体膜部５ｃであれば透過して画像光としてスクリーン９に投射される。一方、その到達誘電体膜部がＲ光用誘電体膜部５ａであれば再びライトトンネル３に再び反射されることになる。ここでは、Ｒ光用誘電体膜部５ａに入射する光について説明したが、Ｇ光用誘電体膜部５ｂ，Ｂ光用誘電体膜部５ｃも同様である。
【００２７】
すなわち、第１の実施の形態によれば、ダイクロイックフィルタ５で反射した光が、ダイクロイックフィルタ５の透過領域に当たるまでダイクロイックフィルタ５とＬＥＤ光源１の反射電極１０５との間で反射を繰り返すため、射出光をほぼ全て透過型液晶画像表示素子７に供給することができ、射出光の利用効率をダイクロイックフィルタ５の全面積に対する各色光透過領域の面積比以上にすることが可能な明るい投射型画像表示装置を提供することができる。また、図１３を用いて説明したような低Ｆ値の投射レンズを使用しないため、コストの増大を抑制することも可能となる。さらに、光源としてＬＥＤを用い、導光路としてライトトンネルを採用しているため、長寿命かつ低消費電力であって可搬性が高く、小型かつ低コストな投射型画像表示装置を提供することが可能となる。
【００２８】
〔第２の実施の形態〕
続いて、第２の実施の形態に係る投射型画像表示装置の上面図を図９に示す。本実施の形態に係る投射型画像表示装置は、白色光を射出するＬＥＤ光源１と、射出された射出光の照度を均一にするライトトンネル３と、射出光のうち特定の色光のみを透過させると共に他の色光を反射させるダイクロイックフィルタ５と、画像を反射して表示する反射型液晶画像表示素子１１と、反射型液晶画像表示素子１１で反射した画像光をスクリーン９に投射する偏光分離素子１５と、ライトトンネル３から射出した射出光の発散を抑制する第１のレンズ１３ａと、ダイクロイックフィルタ５で反射した反射光や反射型液晶画像表示素子１で反射した画像光の発散を抑制する第２のレンズ１３ｂとを備えている。
【００２９】
本実施の形態に係る投射型画像表示装置は、第１の実施の形態で説明した投射型画像表示装置の透過型液晶画像表示素子７に代えて反射型液晶画像表示素子１１を用いているため、ライトトンネル３とダイクロイックフィルタ５との間に画像光の光軸（図９に示す左右方向）に対して約４５度傾斜させた偏光分離素子１５を更に加えた構成となっている。また、この新たな構成要素の配置幅を確保するため、ライトトンネル３とダイクロイックフィルタ５との間の距離が第１の実施の形態の投射型画像表示装置よりも大きくなり、ライトトンネル３から射出した射出光がダイクロイックフィルタ５に到達する効率や、ダイクロイックフィルタ５で反射した反射光がライトトンネル３やＬＥＤ光源１に到達する効率が低下する可能性がある。そこで、ライトトンネル３とダイクロイックフィルタ５との間に共役関係とした第１のレンズ１３ａ及び第２のレンズ１３ｂを挿入することで、ダイクロイックフィルタ５や反射型液晶画像表示素子１１に対してより均一に照明することが可能となり、ダイクロイックフィルタ５での反射光をより効率よくライトトンネル３に入射させることが可能となる。なお、その他の構成については第１の実施の形態で説明したものと同様なので、重複する説明は省略するものとする。
【００３０】
特に、第１のレンズ１３ａ及び第２のレンズ１３ｂについては、ダイクロイックフィルタ５に入射する入射光や再入射する反射光をダイクロイックフィルタ５の面方向に対して垂直に変化させるテレセントリックレンズであることが望ましい。入射光や反射光としての光束を並行にしてダイクロイックフィルタ５に垂直に入射させることにより、ダイクロイックフィルタ５での反射光を効率よくライトトンネル３に入射させることが可能となる。なお、このようなテレセントリックレンズは、第１の実施の形態の場合であっても利用することが可能である。
【００３１】
第２の実施の形態によれば、画像を表示する画像表示手段を反射型にした場合であっても、第１の実施の形態と同様に、ダイクロイックフィルタ５で反射した光が、ダイクロイックフィルタ５の透過領域に当たるまでダイクロイックフィルタ５とＬＥＤ光源１の反射電極１０５との間で多重反射を繰り返すため、射出光の利用効率をダイクロイックフィルタ５の全面積に対する各色光透過領域の面積比以上にすることが可能な明るい投射型画像表示装置を提供することができる。また、図１３を用いて説明したような低Ｆ値の投射レンズを使用しないため、コストの増大を抑制することも可能となる。さらに、光源としてＬＥＤを用い、導光路としてライトトンネルを採用しているため、長寿命かつ低消費電力であって可搬性が高く、小型かつ低コストな投射型画像表示装置を提供することが可能となる。
【００３２】
最後に、第１の実施の形態及び第２の実施の形態で共通する技術について説明する。まず、各実施の形態では、ダイクロイックフィルタ５で反射した光を反射して再入射させる再入射手段としてＬＥＤ光源１の反射電極１０５を用いるとして説明したが、ＬＥＤ光源１の内部に形成するのに代えて、ダイクロイックフィルタ５で反射した反射光の光路上に該再入射手段を配置することにより同様の効果を得ることが可能である。
【００３３】
また、ダイクロイックフィルタ５と透過型液晶画像表示素子７（反射型液晶画像表示素子１１であっても同様）との間に微小であっても距離を有する場合には、ダイクロイックフィルタ５のＲ光用誘電体膜部５ａを透過したＲ光が、このＲ光用誘電体膜部５ａに対応しないＧ用画素７ｂに入射してしまい、画像の彩度を劣化させる可能性がある。そこで、図１０に示すように、各誘電体膜部を透過した色光がその誘電体膜部に対応しない画素に漏入ことを防止するために、誘電体膜部の境界近接に遮光層１７を設けることも可能である。なお、このような遮光層１７は、黒色の光吸収層よりも反射層とした方が温度上昇による信頼性劣化を防止できる点で望ましい。
【００３４】
さらに、各実施の形態で説明した投射型画像表示装置は、モバイルプロジェクターや、機器埋め込み型の超小型プロジェクター等に搭載させることも無論可能であることも付言しておく。
【符号の説明】
【００３５】
１…ＬＥＤ光源（射出手段）
１ａ…Ｒ光用ＬＥＤ
１ｂ…Ｇ光用ＬＥＤ
１ｃ…Ｂ光用ＬＥＤ
１ｄ…イエロー発光部
３…ライトトンネル
５…ダイクロイックフィルタ（透過反射手段）
５ａ…Ｒ光用誘電体膜部（透過反射領域）
５ｂ…Ｇ光用誘電体膜部（透過反射領域）
５ｃ…Ｂ光用誘電体膜部（透過反射領域）
５ｄ…Ｗ光用誘電体膜部（透過反射領域）
５ｅ…Ｙ光用誘電体膜部（透過反射領域）
７…透過型液晶画像表示素子（画像表示手段）
７ｂ…Ｇ用画素
９…スクリーン
１１…反射型液晶画像表示素子（画像表示手段）
１３ａ…第１のレンズ
１３ｂ…第２のレンズ
１５…偏光分離素子
１７…遮光層（遮光手段）
３１…光源
３３…導光路
３５…集光レンズ
３７…空間光変調素子
３７ａ…Ｒ用画素
３７ｂ…Ｇ用画素
３７ｃ…Ｂ用画素
３９…カラーフィルタ
３９ａ…Ｒ光用フィルタ
３９ｂ…Ｇ光用フィルタ
３９ｃ…Ｂ光用フィルタ
４１ａ…Ｒ光反射ダイクロイックミラー
４１ｂ…Ｇ光反射ダイクロイックミラー
４１ｃ…Ｂ光反射ダイクロイックミラー
４３…投射レンズ
１０１…透過電極
１０２…第１の半導体層
１０３…発光層
１０４…第２の半導体層
１０５…反射電極（再入射手段）
【図１】
2010185929.tif 000003
【図２】
2010185929.tif 000004
【図３】
2010185929.tif 000005
【図４】
2010185929.tif 000006
【図５】
2010185929.tif 000007
【図６】
2010185929.tif 000008
【図７】
2010185929.tif 000009
【図８】
2010185929.tif 000010
【図９】
2010185929.tif 000011
【図１０】
2010185929.tif 000012
【図１１】
2010185929.tif 000013
【図１２】
2010185929.tif 000014
【図１３】
2010185929.tif 000015